(57)【要約】【課題】  ディスプレイが鮮明に見えない場合、通常のポスターとし、周囲が暗くなったときディスプレイが見えるようにした電子広告装置を提供する。【解決手段】  筐体１の前面に開口部２を設け、内部の上下に第１、第２のロール９、１０を正逆回転可能に設け、第１、第２のロール９、１０に帯状ポスター表示体１１の両端部が巻き取り可能に連結した。前記帯状ポスター表示体１１には複数のポスター表示部が設けられ、前記第１または第２のロール９、１０を回転させることにより開口部２の部分に所望のポスター表示部を位置させる。開口部背面であって帯状ポスター表示体１１の背面側にディスプレイ８が設けられ、かつ帯状ポスター表示体１１にディスプレイ８の画像を開口部２から見えるようにした透明部を設け、ディスプレイが見にくい場合、ポスター表示に切替え、ディスプレイが見える場合には透明部を介してディスプレイの画像を表示させる。【選択図】図１
0003135213.tif 000002
【実用新案登録請求の範囲】
【請求項１】
筐体（１）の前面に開口部（２）が設けられ、かつ前記筐体（１）の内部の上下にそれぞれ第１、第２のロール（９）、（１０）が正逆回転可能に設けられ、これら第１、第２のロール（９）、（１０）に帯状ポスター表示体（１１）の両端部が巻き取り可能に連結され、前記帯状ポスター表示体（１１）には複数のポスター表示部が設けられ、前記第１または第２のロール（９）、（１０）を回転させることにより前記開口部（２）の部分に所望のポスター表示部を位置させることを特徴とする電子広告装置。
【請求項２】
請求項１記載の電子広告装置において、前記開口部背面であって帯状ポスター表示体（１１）の背面側にディスプレイ（８）が設けられ、かつ前記帯状ポスター表示体（１１）にディスプレイ（８）の画像を前記開口部（２）から見えるようにした透明部が設けられたことを特徴とする電子広告装置。
【考案の詳細な説明】
【技術分野】
【０００１】
この考案は、例えばプラズマディスプレイ、ＬＣＤ、ＬＥＤなどのエレクトリックな表示機器を使って第三者に向けて広告などの情報を発信するいわゆるデジタルサイネージのような電子広告装置に関する。
【背景技術】
【０００２】
広告手段として、従来、紙のポスターが一般的であったが、安価な反面、広告内容を変更するには新たに作り直さなければならないという煩雑さがあり、また、見ていてすぐ飽きてしまい面白みに欠け、しかも今日の情報化社会においては適合しない、という欠点がある。
【０００３】
このような紙のポスターに代え、動画を楽しみ、かつ紙ポスターに比べ情報量が多いビデオディスプレイが登場したが、結局、同じ映像を繰り返し再生するのみなので、情報量に限りがあり、また、一定期間経過すると表示内容の鮮度がなくなり、飽きられてしまうという欠点がある。
【０００４】
これに対し、最近普及してきたデジタルサイネージは、紙製のポスターやビデオディスプレイと比べ、情報を必要としている人に種々の情報提供できるため、費用対効果が高く、時に流通業界で注目され、各所で案内板、販促ツール、広告用などとして使用されるに至っている。
【考案の開示】
【考案が解決しようとする課題】
【０００５】
しかしながら、この種の電子広告装置の画面はプラズマディスプレイや液晶ディスプレイのため、設置状態によっては、例えば昼間、太陽の日差しの角度、あるいはその他の明かりによって画面は著しく暗くなり、見えにくくなることがあり、この場合、広告機能が損なわれる。
【０００６】
この考案は上記のことに鑑み提案されたもので、その目的とするところは、ディスプレイが鮮明に見えない時間帯、状況において視認性が悪い場合は、通常のポスターとし、周囲が暗くなったときなどにはディスプレイが見えるようにした、ムービング・アウトドア・ポップＭＯＰ等（商標名）と称される電子広告装置を提供することにある。
【課題を解決するための手段】
【０００７】
請求項１記載の考案は、筐体１の前面に開口部２が設けられ、かつ前記筐体１の内部の上下にそれぞれ第１、第２のロール９、１０が正逆回転可能に設けられ、これら第１、第２のロール９、１０に帯状ポスター表示体１１の両端部が巻き取り可能に連結され、前記帯状ポスター表示体１１には複数のポスター表示部が設けられ、前記第１または第２のロール９、１０を回転させることにより前記開口部２の部分に所望のポスター表示部を位置させることを特徴とする。
請求項２の考案は、請求項１記載の電子広告装置において、前記開口部背面であって帯状ポスター表示体１１の背面側にディスプレイ８が設けられ、かつ前記帯状ポスター表示体１１にディスプレイ８の画像を前記開口部２から見えるようにした透明部が設けられたことを特徴とする。
【考案の効果】
【０００８】
本考案によれば、日中の明るいときや他の照明により、プラズマや液晶ディスプレイの視認性が低下し、広告機能が損なわれた場合であっても、帯状ポスター表示体１１に設けられた少なくとも一以上のポスター表示部のうち、所望のポスター表示部を表示させることができるため、広告機能を損なうことはない。
【考案を実施するための最良の形態】
【０００９】
以下、図面に沿って本考案の実施例を説明する。
【実施例１】
【００１０】
図１は本考案の一実施例の外観斜視図、図２（ａ）は本考案の内部構造を示す概略正面図、（ｂ）は側面図、図３（ａ）は内部に設けられたディスプレイとその取付パネルとの関係を示した側面図、（ｂ）は取付パネルの正面図を示す。
【００１１】
図１において１は縦長の箱型の筐体であり、正面部には、縦長矩形の窓状開口部２が形成され、この窓状の開口部２には無反射アクリルパネル３が設けられている。このパネル３は透明であって、後述する内側に設けられたディスプレイまたはポスター表示部が外部に見えるように構成されてる。なお、パネル３の素材はアクリルに限定されるものではない。また、完全な透明でなく、ほぼ透明ないし半透明であっても良い。
【００１２】
側部４は、内部にディスプレイ等が内蔵できるよう所定の肉厚に形成され、かつ内部に発生した熱を外部に逃がすための排気部５が設けられている。
【００１３】
この排気部５の位置は、この実施例では側部４の上方としているが、この位置に限定されるものではなく、下部、背面としても良い。また、数も任意である。
【００１４】
６は筐体１の下部両端にそれぞれ設けられた支台であり、支台６の下部には移動用の車輪７が設けられ、容易に移動できるようになっている。
【００１５】
筐体１の内部には、図２（ａ）、（ｂ）に示すように、ディスプレイ８が設けられている。このディスプレイ８としては、例えばプラズマディスプレイ、液晶ディスプレイ、有機ＥＬ等からなり、画面から広告用の映像が表示される。
【００１６】
ディスプレイ８の上下にはそれぞれ第１、第２のロール９、１０が設けられている。特に図示しないが第１、第２のロール９、１０には正逆回転自在な電動モータの駆動軸と連結され、回転自在になっている。
【００１７】
上下の第１、第２のロール９、１０間には帯状のポスター表示体１１の両端部が巻き取り可能に連結され、この帯状ポスター表示体１１は第１、第２のロール９、１０のいずれか一方を電動モータを駆動することにより巻き取り可能になっている。
【００１８】
例えば第１のロール９を時計方向に回動させればポスター表示体１１は第２のロール１０側から第１のロール９側へ、つまり図示の状態において下側から上側に向って自動で巻き取られ、それに伴って開口部２から見えるポスター表示が変更可能になっている。
【００１９】
また、第２のロール１０を反時計方向に回動させれば、逆に第１のロール９側から第２のロール１０側にポスター表示体１１を巻き取ることができ、開口部２から見えるポスター表示を変更可能となっている。
【００２０】
帯状のポスター表示体１１には、その長さ方向に沿って開口部２の大きさとほぼ対応した透明部分のほか、少なくとも一以上のポスター表示部が設けられ、その透明部を開口部２に位置させた場合、開口部２を介しディスプレイ８の画像が外部から見えるようになっている。
【００２１】
日中、プラズマや液晶ディスプレイが見えない時間帯には所望のポスターの表示部を表示させればポスターによる広告機能を発揮させることができる。この場合、ディスプレイ８が光源として機能し、ポスター表示部を背面から照射し、外部から鮮明にポスター表示部を表示させることができる。周囲が暗くなったとき、帯状ポスター表示体１１の透明部を開口部２に位置させディスプレイ８の画像が見えるようにすれば良く、ディスプレイ８による広告を行うことができる。
【００２２】
帯状ポスター表示体１１のポスター表示を所望の表示にするには、基本的には電動モータや適構成の制御装置によって自動で行うが、開口部２の外側からの目視により第１または第２のロール９、１０を回動、停止させても良い。自動で行う場合、第１または第２のロール９、１０の回転量と帯状ポスター表示体１１の移動量とを対応させ、第１または第２のロール９、１０の回転量をロータリーエンコーダで検出し、開口部２に所望のポスター表示部を制御回路を介して定位置で停止させ表示させるようにすれば良い。あるいは帯状ポスター表示体１１の背面側に磁気センサーを設けて、位置検出し、定位置で停止させるようにし、所望のポスター表示をさせるようにしても良い。
【００２３】
なお、ディスプレイ８の背面の適位置には図２（ａ）、図３（ａ）に示すように、ボルトのような係止具１２が設けられ、係止具１２を介し筐体１内に設けられた取付パネル１３に取り付けられる。
【００２４】
すなわち、取付パネル１３には、図３（ｂ）に示すように、ほぼＬ字状の透孔１４ａと円形の透孔１４ｂからなる変形ダルマ穴１４が係止具１２と対応した位置に設けられ、円形の孔１４ｂに係止具１２の頭部を挿入し、かつＬ字状透孔１４ａ側へずらすことにより取付パネル１３に対しディスプレイ８を容易に着脱できるように構成されている。
【００２５】
なお、上記の実施例において、第１、第２のロール９、１０に電動モータを連結した場合について説明したが、電動モータはいずれか一方としても良い。また、小型のものにおいては手動により第１、第２のロール９、１０を回動させるようにしても良い。
【００２６】
また、筐体１の下部には、移動用の車輪付き支台６を設けたが、支台６はなくても良く、筐体１の背面を適構造の壁掛けタイプとしても良い。
【００２７】
また、ディスプレイ８に代え、例えば蛍光灯のような光源を設け、背面を明るくし、開口部２からポスター表示が鮮明に見えるようにしても良い。この場合、ディスプレイ８がない分、低コストとすることができ、また、帯状ポスター表示部１１に透明部を設ける必要もなく、全体構成を簡易とすることができ、ポスター表示が変更可能な安価な広告装置を提供することができる。
【００２８】
また、本考案は広告用以外にも使用可能であることは勿論である。
【００２９】
本考案の電子広告装置は、汎用性を考えて、通常のポスターサイズに対応する大きさとすると好ましい。
【００３０】
本考案の電子広告装置は、屋外の壁面、軒下、自立タイプと様々な環境下で設置可能で、看板としての利用価値も広がる。
【図面の簡単な説明】
【００３１】
【図１】本考案の一実施例にかかる電子広告装置の外観斜視図を示す。
【図２】（ａ）は内部構造を示す概略正面図、（ｂ）は同じく内部構造を示す概略側面図を示す。
【図３】（ａ）、（ｂ）は本考案のディスプレイの取付構造例を示す。
【符号の説明】
【００３２】
１      筐体
２      開口部
３      パネル
４      側部
５      排気部
６      支台
７      車輪
８      ディスプレイ
９、１０    第１、第２のロール
１１    ポスター表示体
１２    係止具
１３    取付パネル
１４ａ、１４ｂ    透孔
１４    変形ダルマ穴
【図１】
0003135213.tif 000003
【図２】
0003135213.tif 000004
【図３】
0003135213.tif 000005